(57)【要約】【課題】包装した商品を展示し、そのまま持ち運ぶことが可能な展示袋兼用持運び袋において、商品の位置や内部での移動を防止する展示袋兼用持運び袋を提供する。【解決手段】複数個の商品Ｐをセットにした状態で収納する袋体１を形成する。商品Ｐを収納状態にセットした全体の左右側面部と背面部と上部とを囲む補強シート１０を形成する。補強シートの背面部に手提げ用孔１１を開穿して該補強シート１０の上部に手指を係止せしめるように設ける。該商品Ｐを囲んだ補強シート１０に前記袋体１を被着する。該袋体１に補強シート１０の手提げ用孔１１に挿通する挿通孔８を開穿する。【選択図】図２
0003159246.tif 000002
【実用新案登録請求の範囲】
【請求項１】
前後片と左右の側片と底部とからなる柔軟な合成樹脂製フィルムの袋体を形成し、前片の上端を上方に延長して袋体の開口部を施蓋する蓋部が形成され、該蓋部の内側に、蓋部と後片とを接着するシール部を設け、複数個の商品をセットにした状態で収納する展示袋兼用持運び袋において、商品を収納状態にセットした全体の左右側面部と背面部と上部とを囲む補強シートを形成すると共に、補強シートの背面部に手提げ用孔を開穿して該補強シートの上部に手指を係止せしめるように設け、該商品を囲んだ補強シートに前記袋体を被着すると共に、該袋体に補強シートの手提げ用孔に挿通する挿通孔を開穿したことを特徴とする展示袋兼用持運び袋。
【請求項２】
前記補強シートは、セットした商品の上部に位置する手提げ片と、商品の背面部に位置する後片と、商品の左右側面に位置する側片とが一体に形成され、該側片が前記袋体の側片に重合するように設けられた請求項１記載の展示袋兼用持運び袋。
【請求項３】
前記補強シートに、セットした商品の底部に位置する底片を一体形成した請求項１又は２記載の展示袋兼用持運び袋。
【請求項４】
前記補強シートの前記後片に切込線と折込線とを設けることで該後片の前面に突出して商品を個別に支持する支持突起を形成した請求項２記載の展示袋兼用持運び袋。
【請求項５】
前記袋体は、厚さ0.03〜0.1mmのポリプロピレンフィルムに厚さ0.015 mmのナイロンフィルムがラミネートされたフィルム材にて形成された請求項１記載の展示袋兼用持運び袋。
【考案の詳細な説明】
【技術分野】
【０００１】
本考案は、たとえばシャンプーやリンスなど、比較的重い商品を展示しながら、この展示状態のまま持ち運ぶことができる展示袋兼用持運び袋に関する。
【背景技術】
【０００２】
スーパーマーケット等の展示棚に並べられる商品は、シャンプーとリンスの如く、使用目的等が関連する商品をセットにして展示・販売することなども行われている。このように、複数の商品をセットで包装して販売する場合、商品全体が重くなるので、厚手のＰＰ・ＰＥＴ・ＰＶＣ材等を用いたケース状の包装体が使用されている。
【０００３】
例えば、特許文献１に記載の陳列パックは、陳列パックを厚手のＰＥＴ材にて形成し陳列状態のまま持ち運びできるように構成したものである。この陳列パックは、厚手のＰＥＴ材を使用しているので、収納した商品を展示する場合、この陳列パックが嵩張る不都合があった。
【０００４】
一方、特許文献２は、当出願人が先に提案した展示袋兼用持運び袋で、厚手のＰＥＴ材に替えて柔軟な合成樹脂製フィルムにて形成したものである。この展示袋兼用持運び袋によると、包装していない状態の商品を展示するスペースで、包装した商品を展示し、しかもそのまま持ち運ぶことを可能にしたものである。
【先行技術文献】
【特許文献】
【０００５】
【特許文献１】特許第３６７７４９３号公報
【特許文献２】実用新案登録第３１３５７２１号公報
【考案の概要】
【考案が解決しようとする課題】
【０００６】
特許文献１に示される陳列パックによると、果物等の形状に合わせて収納部や膨出部等を形成するために、パック自体のサイズが大きくなってしまう不都合があった。このように、陳列パックのサイズが大きくなるということは、例えば、スーパーマーケットやコンビニエンスストア等の展示棚に効率良く商品を展示することができなくなるという重大な問題を抱えることになる。しかも、厚手の合成樹脂材で形成したパックでは、家庭でリサイクルのために分別廃棄する際に、このパックを小さく潰す作業等に多くの手間を要する不都合もある。
【０００７】
一方、商品をセットで包装する従来のケース状包装体においても、そのまま持ち運びが可能になるように材質を厚くする傾向にある。このため、収納する商品に合わせて包装体を形成したとしても厚手の包装体自体が嵩張ることになる。したがって、スペースが限られている展示棚に展示する場合、包装体のない商品を展示する数よりも包装体を使用して展示する商品の数のほうが明らかに少なくなっていた。この種の展示棚のスペースは、各販売店において展示効率に極めて合理性が追求されているため、この展示棚に展示される競合メーカーにとっては、限られたスペースにできるだけ多くの自社商品を展示しようとする激戦スペースとして知られている。したがって、商品をセットで包装する包装体においても、より合理的な展示が可能な包装体が求められていた。
【０００８】
そこで、考案された特許文献２は、包装した複数の商品を極めて合理的に展示することが可能で、しかも、これらの商品をそのまま持ち運ぶことができる展示袋兼用持運び袋を提供することに成功した。ところが、この袋によると、柔軟な合成樹脂製フィルムを使用していることから、複数の商品を収納した場合に、商品の位置がずれたり、内部で商品が移動したりするおそれがあった。
【０００９】
そこで本考案は、係る課題を解決すべく案出されたもので、包装した商品を展示し、そのまま持ち運ぶことが可能な展示袋兼用持運び袋において、商品の位置や、内部での移動を防止することができる展示袋兼用持運び袋の提供を目的とするものである。
【課題を解決するための手段】
【００１０】
本考案の第１の手段は、前後片２、３と左右の側片４と底部５とからなる柔軟な合成樹脂製フィルムの袋体１を形成し、
前片２の上端を上方に延長して袋体の開口部を施蓋する蓋部６が形成され、該蓋部６の内側に、蓋部６と後片３とを接着する帯状のシール部７を設け、複数個の商品Ｐをセットにした状態で収納する展示袋兼用持運び袋において、
商品Ｐを収納状態にセットした全体の左右側面部と背面部と上部とを囲む補強シート１０を形成すると共に、補強シートの背面部に手提げ用孔１１を開穿して該補強シート１０の上部に手指を係止せしめるように設け、
該商品Ｐを囲んだ補強シート１０に前記袋体１を被着すると共に、該袋体１に補強シート１０の手提げ用孔１１に挿通する挿通孔８を開穿したことにある。
【００１１】
第２の手段は、前記補強シート１０は、セットした商品Ｐの上部に位置する手提げ片１２と、商品Ｐの背面部に位置する後片１３と、商品Ｐの左右側面に位置する側片１４とが一体に形成され、該側片１４が前記袋体１の側片４に重合するように設けられている。
【００１２】
第３の手段は、前記補強シート１０に、セットした商品Ｐの底部に位置する底片１５を一体形成している。
【００１３】
第４の手段は、前記補強シート１０の前記後片１３に切込線１３Ａと折込線１３Ｂとを設けることで該後片１３の前面に突出して商品Ｐを個別に支持する支持突起１６を形成している。
【００１４】
第５の手段の前記袋体１は、厚さ0.03〜0.1mmのポリプロピレンフィルムに厚さ0.015 mmのナイロンフィルムがラミネートされた合成樹脂フィルム材にて形成されたことを課題解消のための手段とする。
【考案の効果】
【００１５】
本考案の請求項１の如く、商品Ｐを収納状態にセットした全体の左右側面部と背面部と上部とを囲む補強シート１０を形成しているので、収納状態にセットした状態の商品の位置を固定し、内部での移動を防止することができる。
【００１６】
また、該補強シート１０の上部に手指を係止せしめるように補強シートの背面部に手提げ用孔１１を開穿し、該商品Ｐを囲んだ補強シート１０に前記袋体１を被着すると共に、該袋体１に補強シート１０の手提げ用孔１１に挿通する挿通孔８を開穿したことにより、柔軟なフィルム系の袋体でも、商品Ｐを持ち運ぶことが十分可能になっている。すなわち、商品Ｐの左右側面部と背面部と上部とを囲む補強シート１０によって、袋体１が補強されており、特に、手提げ片１２と蓋部６との重なる部分は、補強シート１０と袋体１とが一体化された状態で持ち上げることが可能になる。この結果、例えばシャンプーとリンスの組み合わせのように、袋体１に収納されている商品Ｐが比較的重量のあるものでも袋体１を変形させずに持ち上げることができるものである。
【００１７】
また、スペースが限られている展示棚に、セットで包装した商品を展示した場合でも、この包装が展示の妨げにならずに済み、包装されない商品を展示できる数と変わらずに展示することが可能になり、柔軟な合成樹脂の袋体であるから、使用後の分別廃棄処分も容易である。
【００１８】
請求項２に記載の補強シート１０により、セットした商品Ｐの上部に位置する手提げ片１２と、商品Ｐの背面部に位置する後片１３と、商品Ｐの左右側面に位置する側片１４とが一体に形成されているので、収納状態にセットした状態の商品の位置を効率良く固定し、内部での移動を防止することができる。しかも、補強シート１０の側片１４が袋体１の側片４と重合することで、柔軟な合成樹脂製フィルムの袋体１が略箱状体に固定されるので、商品Ｐをセットした状態で保護すると共に、補強シート１０との強度とも相俟って商品Ｐの持運びに耐え得る強度を有するものになる。更に、この補強シート１０は、商品Ｐの前面部を遮るものがないので、例えば透明な袋体１に商品Ｐを収納した際に、収納状態の商品Ｐが透けて見えるものになり、宣伝効果を高める利点もある。
【００１９】
請求項３に記載の補強シート１０の如く、セットした商品Ｐの底部に位置する底片１５を一体形成したことにより、袋体１の強度を更に強化できるので、商品Ｐの重量が増しても袋体１の変形を防止して持ち上げることが可能になる。
【００２０】
請求項４によると、前記補強シート１０の前記後片１３に形成した支持突起１６により、商品Ｐを収納状態にセットする際に、各商品Ｐの配置位置を任意に変更することができる。また、支持突起１６を利用することで、商品Ｐを組み合わせた際に生じる僅かなスペースを利用することもできる。例えば、組み合わせた商品Ｐに追加するサンプルなどの他の商品Ｐを載置することができるので、複数の商品Ｐをよりコンパクトで合理的な収納状態にセットすることが可能である。
【００２１】
請求項５に記載の袋体１により、厚さ0.06〜0.1mmのポリプロピレンフィルムに厚さ0.015 mmのナイロンフィルムがラミネートされた合成樹脂フィルム材を使用することで、柔軟な合成樹脂の袋体でも、複数の商品Ｐをセットにして持運ぶことが可能になる。
【図面の簡単な説明】
【００２２】
【図１】本考案の使用状態の一実施例を示す斜視図である。
【図２】本考案の一実施例を示す分解斜視図である。
【図３】本考案の袋体を示す背面図である。
【図４】本考案の補強シートの一実施例を示す展開図である。
【図５】本考の補強シートに商品を収納した状態を示す側断面図である。
【図６】本考の他の実施例を示す分解斜視図である。
【図７】本考案の補強シートの他の実施例を示す展開図である。
【図８】本考の他の補強シートに商品を収納した状態を示す側断面図である。
【図９】本考の他の袋体を示す背面図である。
【考案を実施するための形態】
【００２３】
このように本考案によると、包装した複数の商品を極めて合理的に展示することが可能で、しかも、これらの商品をそのまま持ち運ぶことができ、商品の位置や、内部での移動を防止することができるなどといった当初の目的を実現した。
【実施例１】
【００２４】
図１乃至図５は、本考案の第１実施例を示している。この袋体１は、前片２と、後片３と、マチ部を設けた左右の側片４とに底部５を設けたものである（図３参照）。この前片１の上端を上方に延長して袋体の開口部を施蓋する蓋部６を形成している。更に、この蓋部６の内側に、蓋部６と後片２とを接着する帯状のシール部７を設けている（図２参照）。このシール部７は、例えば両面接着テープなどを使用する。
【００２５】
更に、蓋部６において、蓋部６が後片３に接着された際に、持運び用の挿通孔８を開穿している（図２参照）。この挿通孔８は、持ち運ぶ際に手指を挿入する孔であり、次の補強シート１０の手提げ用孔１１から手提げ片１２を持ち上げるようにしている。
【００２６】
補強シート１０は、商品Ｐを収納状態にセットした全体の左右側面部と背面部と上部とを囲むように設けている（図２参照）。図示の補強シート１０は、手提げ片１２、後片１３、側片１４にて構成されている。すなわち、セットした商品Ｐの上部に位置する手提げ片１２と、商品Ｐの背面部に位置する後片１３と、商品Ｐの左右側面に位置する側片１４とが一体に形成されている。そして、補強シート１０の背面部に手提げ用孔１１を開穿して、該補強シート１０の上部に手指を係止せしめるように設けている。
【００２７】
更に、補強シート１０の側片１４と袋体１の側片４とを略同一形状に形成し、袋体１の側片４内に補強シート１０の側片１４が重なるように設けている。このとき、補強シート１０の後片１３も袋体１の後片３に重合する構成になる。このように、補強シート１０の側片１４と袋体１の側片４、及び補強シート１０の後片１３と袋体１の後片３とを重合することで、柔軟な合成樹脂製フィルムの袋体１が略箱状体に固定されるので、商品Ｐをセットした状態で保護すると共に、補強シート１０との強度とも相俟って商品Ｐの持運びに耐え得る強度を有するものになる。尤も、袋体１の使用態様によっては、補強シート１０の後片１３に袋体１の前片１を重合するように変更することも可能である。
【００２８】
更に、補強シート１０には、後片１３に切込線１３Ａと折込線１３Ｂとを設けることで、該後片１３の前面に突出して商品Ｐを個別に支持する支持突起１６を形成している（図４参照）。図２に示す支持突起１６は、後片１３の切込線１３Ａから切り出した支持突起１６を折込線１３Ｂで折り曲げて左右を組み付けることで、略筒状の支持突起１６を形成している。そして、この筒状の支持突起１６に一部の商品Ｐを載置するものである（図５参照）。
【実施例２】
【００２９】
図６乃至図９は、本考案の第２実施例を示している。この実施例では、ガゼットが付いていない側片４にて形成された平袋状の袋体１を使用している。図示の袋体１は、側片４と底部５とが切り離された形状を成している。更に、補強シート１０の側片１４と袋体１の側片４とを略同一形状に形成し、袋体１の側片４内に補強シート１０の側片１４が重なるように設けている。このようにすることで、柔軟な平袋状の袋体１が略箱状体に固定され、商品Ｐをセットした状態で保護すると共に、補強シート１０との強度とも相俟って商品Ｐの持運びに耐え得る強度を有するものになる。また、図示例では、後片３に切欠部９を設け、この切欠部９が挿通孔８に重なるように形成している（図９参照）。
【００３０】
一方、補強シート１０は、セットした商品Ｐの底部に位置する底片１５を一体形成している（図７参照）。図示の底片１５は、セットした商品Ｐの全体を載置するものあるが、商品Ｐの一部を載置するように設けることも可能である。
【００３１】
更に、この補強シート１０に示す支持突起１６は、後片１３と底片１５とに切込線１３Ａと折込線１３Ｂとを形成したものである（図７参照）。この支持突起１６によると、底片１５と後片１３とで構成された支持突起１６が形成されている（図８参照）。
【００３２】
消費者がこの袋体を持って棚から商品Ｐを取り出そうとすると、消費者の指先が自然に挿通孔８から手提げ用孔１１に差し込まれると共に、手提げ片１２をつかむ状態になっているから、そのまま直感的に持ち運ぶことができるようになっている。
【００３３】
尚、本考案で使用する柔軟な合成樹脂製フィルムの袋体は、複数個の商品Ｐがセットになった状態で収納し、そのまま持ち運ぶように設けたものである（図１参照）。袋体の材質として、例えば、厚さ0.03〜0.1mmのポリプロピレンフィルムに厚さ0.015mmのナイロンフィルムがラミネートされた合成樹脂フィルム材にて形成された袋体を使用することで、少なくとも700ml入りのシャンプーとリンスとを２本セットにして持ち運ぶことが可能になっている。また、このほか、袋体の材質として、OPPフィルムシート、CCPフィルム、PEフィルム、A-PETフィルム、PETフィルムシート、OPSフィルムなどの使用も可能である。
【産業上の利用可能性】
【００３４】
本考案展示袋兼用持運び袋は、シャンプーやリンスなどの日用品に限られるものではなく、例えば缶ビール等の飲食物など、比較的重い商品を展示状態のまま持ち運ぶ他のあらゆる商品Ｐに使用することが可能である。また、各構成は、図示例に限定されるものではなく、袋体１や補強シート１０、あるいは挿通孔８及び手提げ用孔１１、支持突起１６等の形状や構造、合成樹脂フィルムの袋体の形状や色彩の変更、透明感の選択などは任意に変更できるものである。
【符号の説明】
【００３５】
Ｐ  商品
１  袋体
２  前片
３  後片
４  側片
５  底部
６  蓋部
７  シール部
８  挿通孔
９  切欠部
１０  補強シート
１１  手提げ用孔
１２  手提げ片
１３  後片
１４  側片
１５  底片
１６  支持突起
【図１】
0003159246.tif 000003
【図２】
0003159246.tif 000004
【図３】
0003159246.tif 000005
【図４】
0003159246.tif 000006
【図５】
0003159246.tif 000007
【図６】
0003159246.tif 000008
【図７】
0003159246.tif 000009
【図８】
0003159246.tif 000010
【図９】
0003159246.tif 000011